(57)【要約】【課題】受信側の処理の負担を軽減することができるようにする。【解決手段】データ処理装置は、物理層フレームのフレーム長を所定の時間単位に調整するために余分なサンプルを挿入する場合に、当該物理層フレームの終端に挿入されるサンプルの数を示す終端余剰サンプル数を含むシグナリングを生成し、シグナリングを、物理層フレームのプリアンブルに含まれるように処理することで、受信側の処理の負担を軽減することができるようにする。本技術は、例えば、ATSC3.0等の放送規格に準拠したデータ伝送に適用することができる。【選択図】図１７
2017135557.tif 000002
【特許請求の範囲】
【請求項１】
物理層フレームのフレーム長を所定の時間単位に調整するために余分なサンプルを挿入する場合に、当該物理層フレームの終端に挿入されるサンプルの数を示す終端余剰サンプル数を含むシグナリングを生成する生成部と、
前記シグナリングを、前記物理層フレームのプリアンブルに含まれるように処理する処理部と
を備えるデータ処理装置。
【請求項２】
前記シグナリングは、第１の制御情報と、前記第１の制御情報の後に読み出される第２の制御情報を含み、
前記終端余剰サンプル数は、前記第１の制御情報に含まれる
請求項１に記載のデータ処理装置。
【請求項３】
前記時間単位は、ミリ秒単位である
請求項１に記載のデータ処理装置。
【請求項４】
前記余分なサンプルは、ガードインターバル部分に挿入される
請求項１に記載のデータ処理装置。
【請求項５】
前記物理層フレームは、ATSC(Advanced Television Systems Committee)3.0で規定される物理層フレームであって、
前記第１の制御情報は、ATSC3.0で規定されるL1基本情報（L1-Basic）であり、
前記第２の制御情報は、ATSC3.0で規定されるL1詳細情報（L1-Detail）である
請求項２に記載のデータ処理装置。
【請求項６】
前記物理層フレームのフレーム長を所定の時間単位に調整する第１のモードと、前記物理層フレームのフレーム長を調整しない第２のモードを設定可能であり、
前記生成部は、前記第１のモードが設定された場合に、前記終端余剰サンプル数をシグナリングに含める
請求項１に記載のデータ処理装置。
【請求項７】
データ処理装置のデータ処理方法において、
前記データ処理装置が、
物理層フレームのフレーム長を所定の時間単位に調整するために余分なサンプルを挿入する場合に、当該物理層フレームの終端に挿入されるサンプルの数を示す終端余剰サンプル数を含むシグナリングを生成し、
前記シグナリングを、前記物理層フレームのプリアンブルに含まれるように処理する
ステップを含むデータ処理方法。
【請求項８】
物理層フレームのプリアンブルに含まれるシグナリングであって、前記物理層フレームのフレーム長を所定の時間単位に調整するために余分なサンプルを挿入する場合に、当該物理層フレームの終端に挿入されるサンプルの数を示す終端余剰サンプル数を含む前記シグナリングを処理する処理部を備える
データ処理装置。
【請求項９】
前記処理部は、伝送路を介して伝送されてくる受信信号に含まれる、物理層の系列のデータをデコードして、前記シグナリングに含まれる前記終端余剰サンプル数を解読する
請求項８に記載のデータ処理装置。
【請求項１０】
前記処理部により解読された前記終端余剰サンプル数を用い、OFDM(Orthogonal Frequency Division Multiplexing)信号に対するFFT(Fast Fourier Transform)演算を行うOFDM受信部をさらに備える
請求項９に記載のデータ処理装置。
【請求項１１】
前記OFDM受信部は、
最初に処理される第１の物理層フレームに対しては、当該物理層フレームの先頭のプリアンブルの部分を検波することで、FFTトリガ位置を決定し、
前記第１の物理層フレームよりも時間的に後に処理される第２の物理層フレームに対しては、１つ前の物理層フレームのプリアンブルに含まれる前記シグナリングの前記終端余剰サンプル数に応じた当該物理層フレームの終端位置から、FFTトリガ位置を決定する
請求項１０に記載のデータ処理装置。
【請求項１２】
前記シグナリングは、第１の制御情報と、前記第１の制御情報の後に読み出される第２の制御情報を含み、
前記終端余剰サンプル数は、前記第１の制御情報に含まれる
請求項８に記載のデータ処理装置。
【請求項１３】
前記時間単位は、ミリ秒単位である
請求項８に記載のデータ処理装置。
【請求項１４】
前記余分なサンプルは、ガードインターバル部分に挿入される
請求項８に記載のデータ処理装置。
【請求項１５】
前記物理層フレームは、ATSC3.0で規定される物理層フレームであって、
前記第１の制御情報は、ATSC3.0で規定されるL1基本情報（L1-Basic）であり、
前記第２の制御情報は、ATSC3.0で規定されるL1詳細情報（L1-Detail）である
請求項１２に記載のデータ処理装置。
【請求項１６】
前記物理層フレームのフレーム長を所定の時間単位に調整する第１のモードと、前記物理層フレームのフレーム長を調整しない第２のモードを設定可能であり、
前記処理部は、前記第１のモードが設定された場合に、前記終端余剰サンプル数を含むシグナリングを処理する
請求項８に記載のデータ処理装置。
【請求項１７】
データ処理装置のデータ処理方法において、
前記データ処理装置が、
物理層フレームのプリアンブルに含まれるシグナリングであって、前記物理層フレームのフレーム長を所定の時間単位に調整するために余分なサンプルを挿入する場合に、当該物理層フレームの終端に挿入されるサンプルの数を示す終端余剰サンプル数を含む前記シグナリングを処理する
ステップを含むデータ処理方法。
【発明の詳細な説明】
【技術分野】
【０００１】
本技術は、データ処理装置、及び、データ処理方法に関し、特に、受信側の処理の負担を軽減することができるようにしたデータ処理装置、及び、データ処理方法に関する。
【背景技術】
【０００２】
現在、次世代地上放送規格の１つであるATSC(Advanced Television Systems Committee)3.0の策定が進められている（例えば、非特許文献１参照）。
【先行技術文献】
【非特許文献】
【０００３】
【非特許文献１】ATSC Candidate Standard：Physical Layer Protocol（Doc. S32-230r21 28 September 2015）
【発明の概要】
【発明が解決しようとする課題】
【０００４】
ところで、ATSC3.0等の放送規格では、物理層のシグナリング（L1シグナリング）が規定されており、受信側の受信装置では、このL1シグナリングを用いた復調処理などを行うことになる。一方で、L1シグナリングの記述内容によっては、受信側の受信装置での処理に負担がかかるため、受信側の処理の負担を軽減するための提案が要請されていた。
【０００５】
本技術はこのような状況に鑑みてなされたものであり、受信側の処理の負担を軽減することができるようにするものである。
【課題を解決するための手段】
【０００６】
本技術の第１の側面のデータ処理装置は、物理層フレームのフレーム長を所定の時間単位に調整するために余分なサンプルを挿入する場合に、当該物理層フレームの終端に挿入されるサンプルの数を示す終端余剰サンプル数を含むシグナリングを生成する生成部と、前記シグナリングを、前記物理層フレームのプリアンブルに含まれるように処理する処理部とを備えるデータ処理装置である。
【０００７】
本技術の第１の側面のデータ処理装置は、独立した装置であってもよいし、１つの装置を構成している内部ブロックであってもよい。また、本技術の第１の側面のデータ処理方法は、上述した本技術の第１の側面のデータ処理装置に対応するデータ処理方法である。
【０００８】
本技術の第１の側面のデータ処理装置、及び、データ処理方法においては、物理層フレームのフレーム長を所定の時間単位に調整するために余分なサンプルを挿入する場合に、当該物理層フレームの終端に挿入されるサンプルの数を示す終端余剰サンプル数を含むシグナリングが生成され、前記シグナリングが、前記物理層フレームのプリアンブルに含まれるように処理される。
【０００９】
本技術の第２の側面のデータ処理装置は、物理層フレームのプリアンブルに含まれるシグナリングであって、前記物理層フレームのフレーム長を所定の時間単位に調整するために余分なサンプルを挿入する場合に、当該物理層フレームの終端に挿入されるサンプルの数を示す終端余剰サンプル数を含む前記シグナリングを処理する処理部を備えるデータ処理装置である。
【００１０】
本技術の第２の側面のデータ処理装置は、独立した装置であってもよいし、１つの装置を構成している内部ブロックであってもよい。また、本技術の第２の側面のデータ処理方法は、上述した本技術の第２の側面のデータ処理装置に対応するデータ処理方法である。
【００１１】
本技術の第２の側面のデータ処理装置、及び、データ処理方法においては、物理層フレームのプリアンブルに含まれるシグナリングであって、前記物理層フレームのフレーム長を所定の時間単位に調整するために余分なサンプルを挿入する場合に、当該物理層フレームの終端に挿入されるサンプルの数を示す終端余剰サンプル数を含む前記シグナリングが処理される。
【発明の効果】
【００１２】
本技術の第１の側面、及び、第２の側面によれば、受信側の処理の負担を軽減することができる。
【００１３】
なお、ここに記載された効果は必ずしも限定されるものではなく、本開示中に記載されたいずれかの効果であってもよい。
【図面の簡単な説明】
【００１４】
【図１】物理層フレームの構造を示す図である。
【図２】L1基本情報（L1-Basic）のシンタックスの例を示す図である。
【図３】L1詳細情報（L1-Detail）のシンタックスの例を示す図である。
【図４】L1詳細情報（L1-Detail）のシンタックスの例を示す図である。
【図５】L1詳細情報（L1-Detail）のシンタックスの例を示す図である。
【図６】タイムアラインモード時に、物理層フレームに挿入される余剰サンプルを説明する図である。
【図７】現状の受信装置の構成を示す図である。
【図８】現状１の受信側の復調処理の流れを説明するフローチャートである。
【図９】現状１のOFDM受信部（１フレーム目を処理）の構成を示す図である。
【図１０】現状１のOFDM受信部（２フレーム目以降を処理）の構成を示す図である。
【図１１】現状１のパラメータ制御部の構成を示す図である。
【図１２】現状１のパラメータ制御処理の流れを説明するフローチャートである。
【図１３】現状２の受信側の復調処理の流れを説明するフローチャートである。
【図１４】現状２のOFDM受信部（１，２フレーム目を処理）の構成を示す図である。
【図１５】現状２のパラメータ制御部の構成を示す図である。
【図１６】本技術を適用した伝送システムの一実施の形態の構成を示す図である。
【図１７】本技術の送信装置の構成例を示す図である。
【図１８】本技術の送信側の変調処理の流れを説明するフローチャートである。
【図１９】本技術の受信装置の構成例を示す図である。
【図２０】本技術の受信側の復調処理の流れを説明するフローチャートである。
【図２１】本技術のL1基本情報（L1-Basic）のシンタックスの例を示す図である。
【図２２】本技術のOFDM受信部（１フレーム目を処理）の構成を示す図である。
【図２３】本技術のOFDM受信部（２フレーム目以降を処理）の構成を示す図である。
【図２４】本技術のパラメータ制御部の構成を示す図である。
【図２５】本技術のパラメータ制御処理の流れを説明するフローチャートである。
【図２６】コンピュータの構成例を示す図である。
【発明を実施するための形態】
【００１５】
以下、図面を参照しながら本技術の実施の形態について説明する。なお、説明は以下の順序で行うものとする。
【００１６】
１．現状の規格の概要
２．本技術の実施の形態
（１）システムの構成
（２）シグナリングの例
（３）復調処理とパラメータ制御の詳細
３．変形例
４．コンピュータの構成
【００１７】
＜１．現状の規格の概要＞
【００１８】
（物理層フレームの構造）
図１は、物理層フレームの構造を示す図である。図１において、横方向は、時間（Time）を表し、縦方向は、周波数（Frequency）を表している。
【００１９】
例えば、ATSC3.0で規定される物理層フレームは、ブートストラップ（Bootstrap）と、プリアンブル（Preamble）と、１以上のサブフレーム（Subframe）から構成される。物理層フレームは、ミリ秒単位などの所定のフレーム長で構成される。物理層フレームにおいては、ブートストラップとプリアンブルを取得した後に、その後のサブフレームを取得することが可能となる。
【００２０】
ブートストラップは、例えば、DVB-T2(Digital Video Broadcasting - Second Generation Terrestrial)のT2フレームを構成するP1シンボルに対応し、プリアンブルは、例えば、DVB-T2のT2フレームを構成するP2シンボルに対応している。したがって、ブートストラップは、プリアンブルであると言うこともできる。
【００２１】
プリアンブルには、L1基本情報（L1-Basic）やL1詳細情報（L1-Detail）などのL1シグナリングを含めることができる。ここで、L1基本情報とL1詳細情報とを比較すれば、L1基本情報は、200ビット程度のビットから構成されるが、L1詳細情報は、400〜数千ビットから構成される点でそのサイズが異なっている。また、プリアンブルでは、L1基本情報とL1詳細情報がその順に読み出されるため、L1詳細情報よりもL1基本情報のほうが先に読み出される。さらに、L1基本情報は、L1詳細情報と比べて、よりロバスト（ロバストネス）に伝送される点でも異なっている。
【００２２】
サブフレームには、ペイロード（データ）が配置される。物理層フレームにおいて、２以上のサブフレームが含まれる場合には、サブフレームごとに、例えば、FFTサイズやガードインターバル長、パイロットパターンなどの変調パラメータを変更することができる。
【００２３】
（L1基本情報の構造）
図２は、図１のプリアンブルに含まれるL1基本情報（L1-Basic）のシンタックスの例を示す図である。
【００２４】
2ビットのL1B_content_tagは、コンテンツを識別するタグ値を表している。3ビットのL1B_versionは、L1基本情報のバージョンを表している。1ビットのL1B_slt_flagは、SLT(Service Labeling Table)が存在するかどうかを表している。
【００２５】
1ビットのL1B_time_info_flagは、時刻情報が存在するかどうかを表している。2ビットのL1B_paprは、PAPR(Peak to Average Power Reduction)の適用を表している。
【００２６】
1ビットのL1B_frame_length_modeは、フレームモードを表している。L1B_frame_length_mode = 0 の場合、フレームモードは、タイムアラインモードとなる。また、L1B_frame_length_mode = 1 の場合、フレームモードは、シンボルアラインモードとなる。
【００２７】
10ビットのL1B_frame_lengthは、物理層フレームのフレーム長を表している。13ビットのL1B_excess_samples_per_symbolは、フレームモードがタイムアラインモードとなる場合に、ガードインターバル部分に挿入される余分なサンプルについて、シンボル当たりの余分なサンプルの数を表している。
【００２８】
8ビットのL1B_num_subframesは、物理層フレームに含まれるサブフレームの数を表している。3ビットのL1B_preamble_num_symbolsは、プリアンブルに含まれるOFDMシンボルの数を表している。3ビットのL1B_preamble_reduced_carriersは、プリアンブルで使用されるFFTサイズのキャリアの最大数の減少に応じた制御ユニットの数を表している。
【００２９】
16ビットのL1B_L1_Detail_size_bitsは、L1詳細情報（L1-Detail）のサイズを表している。3ビットのL1B_L1_Detail_fec_typeは、L1詳細情報のFECタイプを表している。2ビットのL1B_L1_Detail_additional_parity_modeは、L1詳細情報の追加パリティモードを表している。19ビットのL1B_L1_Detail_total_cellsは、L1詳細情報のトータルサイズを表している。
【００３０】
1ビットのL1B_First_Sub_mimoは、先頭のサブフレームのMIMO(Multiple Input and Multiple Output)の使用状況を表している。1ビットのL1B_First_Sub_misoは、先頭のサブフレームのMISO(Multiple Input and Single Output)の使用状況を表している。
【００３１】
2ビットのL1B_First_Sub_fft_sizeは、先頭のサブフレームのFFTサイズを表している。3ビットのL1B_First_Sub_reduced_carriersは、先頭のサブフレームで使用されるFFTサイズのキャリアの最大数の減少に応じた制御ユニットの数を表している。4ビットのL1B_First_Sub_guard_intervalは、先頭のサブフレームのガードインターバル長を表している。
【００３２】
13ビットのL1B_First_Sub_excess_samplesは、フレームモードがタイムアラインモードとなる場合に、サブフレームにおいて、ガードインターバル部分に挿入される余分なサンプルの数を表している。
【００３３】
11ビットのL1B_First_Sub_num_ofdm_symbolsは、先頭のサブフレームに含まれるOFDMシンボルの数を表している。5ビットのL1B_First_Sub_scattered_pilot_patternは、先頭のサブフレームで使用されているSPパターン（Scattered Pilot Pattern）を表している。3ビットのL1B_First_Sub_scattered_pilot_boostは、SPパターンの大きさを高める値を表している。
【００３４】
1ビットのL1B_First_Sub_sbs_firstと、1ビットのL1B_First_Sub_sbs_lastは、先頭のサブフレームのSBS(Subframe Boundary Symbol)を表している。
【００３５】
L1B_Reservedは、将来の拡張用の領域（Reserved）である。L1B_Reservedのビット数は、未確定（TBD：To Be Determined）であるが、現状では、49ビットとされている。32ビットのL1B_crcは、CRC値が含まれることを表している。
【００３６】
なお、L1基本情報（L1-Basic）については、上述した非特許文献１の「Table 9.2 L1-Basic signaling fields and syntax」にその詳細な内容が記載されている。また、フォーマット（Format）として、uimsbf(unsigned integer most significant bit first)が指定された場合、ビット演算をして、整数として扱われることを意味している。
【００３７】
（L1詳細情報の構造）
図３乃至図５は、図１のプリアンブルに含まれるL1詳細情報（L1-Detail）のシンタックスの例を示す図である。
【００３８】
4ビットのL1D_versionは、L1詳細情報のバージョンを表している。
【００３９】
3ビットのL1D_num_rfに応じたループには、チャネルボンディング（Channel Bonding）に関するパラメータが配置される。すなわち、19ビットのL1D_rf_frequencyは、チャネルボンディングにより結合されるRFチャネルの周波数を表している。
【００４０】
ここで、図２のL1基本情報において、L1B_time_info_flag = 1 となる場合、時刻情報が存在していることを示しているので、L1詳細情報には、時刻情報としてのL1D_time_infoが配置される。なお、L1D_time_infoのビット数は、未確定（TBD）とされる。
【００４１】
図２のL1基本情報のL1B_num_subframesに応じたループには、以下のサブフレームに関するパラメータが配置される。
【００４２】
1ビットのL1D_mimoは、サブフレームのMIMOの使用状況を表している。1ビットのL1D_misoは、サブフレームのMISOの使用状況を表している。2ビットのL1D_fft_sizeは、サブフレームのFFTサイズを表している。
【００４３】
3ビットのL1D_reduced_carriersは、サブフレームで使用されるFFTサイズのキャリアの最大数の減少に応じた制御ユニットの数を表している。4ビットのL1D_guard_intervalは、サブフレームのガードインターバル長を表している。11ビットのL1D_num_ofdm_symbolsは、サブフレームに含まれるOFDMシンボルの数を表している。
【００４４】
5ビットのL1D_scattered_pilot_patternは、サブフレームで使用されているSPパターンを表している。3ビットのL1D_scattered_pilot_boostは、SPパターンの大きさを高める値を表している。1ビットのL1D_sbs_firstと、1ビットのL1D_sbs_lastは、サブフレームのSBSを表している。
【００４５】
1ビットのL1D_subframe_multiplexは、サブフレームが時分割多重であるかどうかを表している。1ビットのL1D_frequency_interleaverは、周波数インターリーブがあるかどうかを表している。
【００４６】
6ビットのL1D_num_plpに応じたループには、PLPに関するパラメータが配置される。このパラメータとしては、6ビットのL1D_plp_id，1ビットのL1D_plp_slt_exist，2ビットのL1D_plp_layer，24ビットのL1D_plp_start，24ビットのL1D_plp_size，2ビットのL1D_plp_scrambler_type，4ビットのL1D_plp_fec_typeなどが配置される。
【００４７】
ここでは、PLPに関するパラメータの全てについては説明しないが、上述した非特許文献１の「Table 9.12 L1-Detail signaling fields and syntax」に、L1詳細情報（L1-Detail）の詳細な内容が記載されている。
【００４８】
（フレームモードの概要）
ところで、ATSC3.0では、物理層フレームのフレーム長に応じたフレームモードとして、タイムアラインモード（time-aligned mode）と、シンボルアラインモード（symbol-aligned mode）が規定されている。
【００４９】
タイムアラインモードは、ガードインターバル（GI：Guard Interval）部分に余分なサンプルを挿入することで、物理層フレームのフレーム長（フレーム時間）を、必ず整数のミリ秒単位に合わせてから送信するモードである。ここでは、各ガードインターバルに、余分なサンプル（余剰サンプル）の一部が分散されて挿入される。
【００５０】
例えば、同じRFチャンネル内で、放送（例えばATSC3.0に準拠したデータ伝送）と、通信（例えば、LTE(Long Term Evolution)に準拠したデータ伝送）を共存させる場合に、物理層フレームのフレーム長（フレーム時間）が、整数のミリ秒単位であると、時間の区切りが一致するために都合がよい。ただし、タイムアラインモードでは、余分なサンプル（無意味なデータ）を送信することになるため、データ伝送の効率は悪くなる。
【００５１】
シンボルアラインモードは、余分なサンプルを挿入せずに、そのまま送信するモードである。シンボルアラインモードでは、余分なサンプルを送信しないため、効率的なデータ伝送を行うことができる。例えば、DVB-T(Digital Video Broadcasting - Terrestrial)，DVB-T2，ISDB-T(Integrated Services Digital Broadcasting - Terrestrial)などの放送方式では、このシンボルアラインモードと同様のデータ伝送が行われている。
【００５２】
ただし、シンボルアラインモードでは、時間の区切りを一致させるためのサンプルを挿入していないため、物理層フレームの中には、そのフレーム長（フレーム時間）が、整数のミリ秒単位となる（ミリ秒の境界に沿っている）物理層フレームだけでなく、整数のミリ秒単位とはならない（ミリ秒の境界に沿っていない）物理層フレームも存在することになる。
【００５３】
ここで、フレームモードとして、タイムアラインモードが設定された場合には、ガードインターバル部分に余分なサンプルが挿入されるため、受信側の受信装置では、そのことを考慮して、物理層フレームを処理する必要がある。
【００５４】
例えば、図６には、タイムアラインモード時に、物理層フレームに余剰サンプルが挿入される様子が模式的に表されている。図６においては、OFDMシンボルの有効な部分（Useful portion）に対し、ガードインターバル（Signaled guard interval length）が挿入されている。また、各ガードインターバルには、余剰サンプル（Extra sample for the guard intervals）が挿入されている。さらに、当該物理層フレームの終端にも余剰サンプル（Cyclic postfix on final OFDM symbol of the frame）が挿入されている。以下、このような、物理層フレームの終端に挿入される余剰サンプルを、終端余剰サンプルと称する。
【００５５】
現状のATSC3.0では、図６のOFDMシンボルの有効な部分（Useful portion）に相当するFFTサンプル数として、L1基本情報（L1-Basic）のL1B_First_Sub_fft_size（図２）と、L1詳細情報（L1-Detail）のL1D_fft_size（図３）が規定されている。
【００５６】
また、図６のガードインターバルの部分に相当するGIサンプル数として、L1基本情報のL1B_First_Sub_guard_interval（図２）と、L1詳細情報のL1D_guard_interval（図３）が規定されている。さらに、図６の余分なサンプルの数（余剰サンプル数）として、L1基本情報のL1B_excess_samples_per_symbol又はL1B_First_Sub_excess_samples（図２）が規定されている。
【００５７】
このように、現状のATSC3.0においては、L1シグナリングとして、FFTサンプル数、GIサンプル数、及び余剰サンプル数が規定されている。しかしながら、現状のATSC3.0では、L1シグナリングに、物理層フレームの終端に挿入される終端余剰サンプルの数（終端余剰サンプル数）が規定されていない。
【００５８】
そのため、現状の受信装置では、下記の式（１）により、終端余剰サンプルを含む余剰サンプル数を求めてから、下記の式（２）により、余剰サンプル数を減算することで、対象の物理層フレームにおける終端余剰サンプル数（NfinalExcessSamples）を求める。
【００５９】
【数１】
2017135557.tif 000003
・・・（１）
【００６０】
【数２】
2017135557.tif 000004
・・・（２）
【００６１】
そして、現状の受信装置では、対象の物理層フレームの最後のOFDMシンボルの後に、演算により求められた終端余剰サンプル数をカウントすることで、次の物理層フレームの先頭位置を検出することができる。以下の説明では、このような、終端余剰サンプル数を演算により求めることで、物理層フレームの先頭位置を検出する手法を、「現状１」の手法と称して説明する。
【００６２】
一方で、現状の受信装置では、物理層フレームごとに、ブートストラップの検波を行うことでも、物理層フレームの先頭位置を検出することができる。以下の説明では、このような、物理層フレームごとのブートストラップの検波を行うことで、物理層フレームの先頭位置を検出する手法を、「現状２」の手法と称して説明する。
【００６３】
以下、現状１の手法と現状２の手法の詳細な内容について説明するが、まず、図７を参照して、現状１の手法と現状２の手法に共通する受信装置３０の構成について説明してから、図８乃至図１２を参照して、現状１の手法について説明し、その後に、図１３乃至図１５を参照して、現状２の手法について説明するものとする。
【００６４】
（現状の受信装置の構成）
図７は、現状の受信装置３０の構成を示す図である。
【００６５】
図７において、受信装置３０は、RF・アナログ部３１１、直交復調部３１２、OFDM受信部３１３、周波数デインターリーブ部３１４、時間デインターリーブ部３１５、誤り訂正復号化部３１６、パラメータ制御部３１７、及びデコーダ部３１８から構成される。
【００６６】
RF・アナログ部３１１は、アンテナ３０１と接続され、送信装置から伝送路を介して送信されてくるRF信号を受信して処理し、直交復調部３１２に供給する。なお、RF・アナログ部３１１で処理された信号には、A/D(Analog/Digital)変換処理が施され、アナログ信号からデジタル信号に変換されてから、直交復調部３１２に入力される。
【００６７】
直交復調部３１２は、RF・アナログ部３１１から供給される信号を直交復調し、その結果得られるベースバンドのOFDM信号を、OFDM受信部３１３に供給する。
【００６８】
OFDM受信部３１３は、直交復調部３１２から供給されるOFDM信号に対して、FFT(Fast Fourier Transform)演算を行い、各サブキャリアに直交変調されているデータを抽出し、周波数デインターリーブ部３１４に供給する。なお、OFDM受信部３１３の詳細な構成は、図９、図１０、及び図１４を参照して後述する。
【００６９】
周波数デインターリーブ部３１４は、OFDM受信部３１３から供給されるデータに対し、周波数方向のデインターリーブを行い、その周波数方向のデインターリーブ後のデータを、時間デインターリーブ部３１５に供給する。
【００７０】
時間デインターリーブ部３１５は、周波数デインターリーブ部３１４から供給されるデータに対し、時間方向のデインターリーブを行い、その時間方向のデインターリーブ後のデータを、誤り訂正復号化部３１６に供給する。
【００７１】
誤り訂正復号化部３１６は、時間デインターリーブ部３１５から供給されるデータに対し、誤り訂正処理（例えばLDPC(Low Density Parity Check)復号やBCH復号等）を行う。誤り訂正復号化部３１６は、誤り訂正後のデータのうち、プリアンブルのデータを、パラメータ制御部３１７に供給するとともに、サブフレームのデータを、デコーダ部３１８に供給する。
【００７２】
パラメータ制御部３１７は、誤り訂正復号化部３１６から供給されるデータを処理し、L1シグナリングに含まれる各種制御パラメータを、受信装置３０の各部（例えば、OFDM受信部３１３等）に供給する。これにより、受信装置３０の各部では、各種制御パラメータを用いた処理が行われる。なお、パラメータ制御部３１７の詳細な構成は、図１１及び図１５を参照して後述する。
【００７３】
デコーダ部３１８は、誤り訂正復号化部３１６から供給される（サブフレームの）データをデコードし、後段の回路（不図示）に出力する。
【００７４】
（現状１の受信側の復調処理の流れ）
次に、図８のフローチャートを参照して、図７の受信装置３０により実行される、現状１の受信側の復調処理の流れを説明する。ただし、図８の説明では、OFDM受信部３１３とパラメータ制御部３１７により実行される処理を中心に説明する。
【００７５】
なお、以下の説明では、最初に処理される物理層フレームのことを、１フレーム目の物理層フレームと称し、１フレーム目の物理層フレームよりも時間的に後に処理される物理層フレームのことを、２フレーム目以降の物理層フレームと称して区別する。
【００７６】
ステップＳ３０１において、OFDM受信部３１３は、物理層フレームのブートストラップを検波する。ここで、OFDM受信部３１３は、ブートストラップの検波を行う場合には、ベースバンドのOFDM信号に対する時間域の相関計算を行い、自己相関が最大となったところを、ブートストラップのトリガ位置として検出（検波）する。
【００７７】
ステップＳ３０２において、OFDM受信部３１３は、ステップＳ３０１の処理で検波されたブートストラップに対する等化処理を行い、ブートストラップを復調する。
【００７８】
ステップＳ３０３において、OFDM受信部３１３は、ステップＳ３０２の処理で復調されたブートストラップのシグナリングを解読（デコード）し、それにより得られる制御パラメータを用いたパラメータ制御を行う。
【００７９】
ステップＳ３０４において、OFDM受信部３１３は、ステップＳ３０３の処理のパラメータ制御に従い、プリアンブルシンボルの等化処理を行い、プリアンブルシンボルを復調する。
【００８０】
なお、ここでは詳細な説明は省略するが、ステップＳ３０４の処理で復調されたプリアンブルシンボルに対しては、周波数デインターリーブ部３１４と時間デインターリーブ部３１５によって、周波数方向と時間方向のデインターリーブが行われた後に、誤り訂正復号化部３１６によって、誤り訂正復号化処理が行われる。
【００８１】
ステップＳ３０５において、パラメータ制御部３１７は、ステップＳ３０４の処理等で得られるプリアンブルに含まれるL1シグナリングを解読（デコード）し、それにより得られる各種制御パラメータを用いたパラメータ制御を行う。ただし、このステップＳ３０５の処理では、パラメータ制御部３１７により、各種制御パラメータを用いて、終端余剰サンプル数が算出されることになる。
【００８２】
ステップＳ３０６において、OFDM受信部３１３は、ステップＳ３０５の処理のパラメータ制御に従い、サブフレーム（サブフレームシンボル）の等化処理を行い、サブフレームを復調する。
【００８３】
なお、ここでは詳細な説明は省略するが、ステップＳ３０６の処理で復調されたサブフレームに対しては、周波数デインターリーブ部３１４と時間デインターリーブ部３１５によって、周波数方向と時間方向のデインターリーブが行われた後に、誤り訂正復号化部３１６によって、誤り訂正復号化処理が行われる。そして、デコーダ部３１８では、ステップＳ３０６の処理等で得られる（サブフレームの）データがデコードされ、出力される。
【００８４】
ステップＳ３０７においては、処理を終了するかどうかが判定される。ステップＳ３０７において、処理を終了しないと判定された場合、処理は、ステップＳ３０２に戻される。そして、次の物理層フレームを処理対象として、上述したステップＳ３０２乃至Ｓ３０６の処理が繰り返される。
【００８５】
すなわち、現状１の手法では、１フレーム目の物理層フレームを処理する場合には、ステップＳ３０１の処理でブートストラップの検波が行われたが、２フレーム目以降の物理層フレームを処理する場合には、ブートストラップの検波は行われない。ここでは、ブートストラップの検波は行わずに、ステップＳ３０５の処理でL1シグナリングを解読することで得られる各種制御パラメータを用い、１つ前の物理層フレームの終端位置からブートストラップのトリガ位置を求めることで、ブートストラップが復調される。
【００８６】
一方、ステップＳ３０７において、処理を終了すると判定された場合、図８の現状１の受信側の復調処理は終了される。
【００８７】
以上、現状１の受信側の復調処理の流れを説明した。
【００８８】
（現状１のOFDM受信部の構成）
図９及び図１０は、図７のOFDM受信部３１３（３１３Ａ）の構成を示す図である。
【００８９】
ここでは、１フレーム目の物理層フレームを処理するOFDM受信部３１３Ａ−１が、図９に図示され、２フレーム目以降の物理層フレームを処理するOFDM受信部３１３Ａ−２が、図１０に図示されている。
【００９０】
図９において、OFDM受信部３１３Ａ−１は、ブートストラップ相関計算部３３１、シンボル同期部３３２、セレクタ３３３、FFT部３３４、及び周波数域処理部３３５から構成される。
【００９１】
直交復調部３１２（図７）から入力されるベースバンド信号（OFDM信号）は、ブートストラップ相関計算部３３１と、FFT部３３４に入力される。なお、直交復調部３１２から入力されるベースバンドのOFDM信号は、FFT演算が行われる前の時間領域の信号であることから、以下の説明では、FFT演算が行われる前の時間領域の信号を、OFDM時間領域信号と称する。
【００９２】
ブートストラップ相関計算部３３１は、信号遅延部３４１によりOFDM時間領域信号を有効シンボル期間分遅延させて、ブートストラップ部分と、このブートストラップ部分の元となる信号との相関を求める。そして、この相関に応じたFFTトリガ（FFT trigger）が、ブートストラップ相関計算部３３１からセレクタ３３３に供給される。
【００９３】
シンボル同期部３３２には、パラメータ制御部３１７からの各種制御パラメータとして、FFTサンプル数、GIサンプル数、余剰サンプル数、及び終端余剰サンプル数が入力される。シンボル同期部３３２は、FFTサンプル数、GIサンプル数、余剰サンプル数、及び終端余剰サンプル数に基づいて、FFTトリガを生成し、セレクタ３３３に供給する。
【００９４】
ただし、この各種制御パラメータのうち、FFTサンプル数、GIサンプル数、及び余剰サンプル数は、L1シグナリングを解読することで得られたものである一方で、終端余剰サンプル数は、各種制御パラメータから演算により求められたものとなる。なお、終端余剰サンプル数の演算方法については、図１１を参照して後述する。
【００９５】
セレクタ３３３には、ブートストラップ相関計算部３３１からのFFTトリガと、シンボル同期部３３２からのFFTトリガが入力される。セレクタ３３３は、後段の周波数域処理部３３５（のブートストラップ処理部３５１）から供給されるトリガ切り替え信号に基づいて、ブートストラップ相関計算部３３１からのFFTトリガ又はシンボル同期部３３２からのFFTトリガを選択し、FFT部３３４に供給する。
【００９６】
なお、FFT部３３４に入力されるFFTトリガは、OFDM時間領域信号について、FFT演算の対象とする区間の開始位置（FFT演算の開始位置）などを表している。また、ここでは、詳細は説明しないが、FFTトリガには、FFT演算の対象とする区間のFFTサイズなどを含めることができる。
【００９７】
FFT部３３４は、セレクタ３３３から供給されるFFTトリガに基づいて、ベースバンド信号としてのOFDM時間領域信号に対してFFT演算を行い、各サブキャリアに直行変調されているデータを抽出し、周波数域処理部３３５に供給する。なお、このFFT部３３４から出力される信号は、FFT演算が行われた後の周波数領域の信号であることから、以下の説明では、FFT演算が行われた後の周波数領域の信号を、OFDM周波数領域信号と称する。
【００９８】
周波数域処理部３３５は、FFT部３３４から供給されるOFDM周波数領域信号に対し、所定の周波数域処理（例えば等化処理など）を行い、それにより得られるデータを、後段の周波数デインターリーブ部３１４（図７）に供給する。また、周波数域処理部３３５は、ブートストラップ処理部３５１を含む。
【００９９】
ブートストラップ処理部３５１は、１フレーム目の物理層フレームのブートストラップに対する処理を監視し、当該ブートストラップの処理が完了した場合に、FFTトリガの切り替えを指示するためのトリガ切り替え信号を、セレクタ３３３に供給する。
【０１００】
これにより、セレクタ３３３は、ブートストラップ処理部３５１からのトリガ切り替え信号に従い、１フレーム目の物理層フレームを処理する場合には、ブートストラップ相関計算部３３１からのFFTトリガを選択してFFT部３３４に出力する。一方で、セレクタ３３３は、ブートストラップ処理部３５１からのトリガ切り替え信号に従い、１フレーム目の物理層フレームのブートストラップの処理が完了した場合には、シンボル同期部３３２からのFFTトリガを選択してFFT部３３４に出力する。
【０１０１】
すなわち、１フレーム目の物理層フレームを処理するOFDM受信部３１３Ａ−１（図９）では、ブートストラップ相関計算部３３１が有効となり、１フレーム目の物理層フレームのブートストラップの処理が完了するまではそのFFTトリガが用いられる。一方で、２フレーム目以降の物理層フレームを処理するOFDM受信部３１３Ａ−２（図１０）では、ブートストラップ相関計算部３３１が無効となり（図中の濃淡により表現）、常に、シンボル同期部３３２からのFFTトリガが用いられる。
【０１０２】
（現状１のパラメータ制御部の構成）
図１１は、図７のパラメータ制御部３１７（３１７Ａ）の構成を示す図である。
【０１０３】
図１１において、パラメータ制御部３１７Ａは、シグナリングデコード部３６１及び終端余剰サンプル計算部３６２から構成される。
【０１０４】
シグナリングデコード部３６１は、誤り訂正復号化部３１６（図７）から供給される誤り訂正後のデータ（受信L1系列）に対し、所定の復号方式に従い、デコードを行うことで、L1シグナリングの各種制御パラメータの解読を行う。シグナリングデコード部３６１により解読されたL1シグナリングの各種制御パラメータは、受信装置３０（図７）の各部（例えば、OFDM受信部３１３等）に供給される。
【０１０５】
また、シグナリングデコード部３６１は、各種制御パラメータを、終端余剰サンプル計算部３６２に供給する。終端余剰サンプル計算部３６２は、シグナリングデコード部３６１から供給される各種制御パラメータに基づいて、上述した式（１）及び式（２）の演算を行うことで、終端余剰サンプル数を算出する。
【０１０６】
このようにして算出された終端余剰サンプル数は、シグナリングデコード部３６１により解読されたFFTサンプル数、GIサンプル数、及び余剰サンプル数とともに、OFDM受信部３１３Ａ−１（図９）又はOFDM受信部３１３Ａ−２（図１０）のシンボル同期部３３２に供給される。
【０１０７】
（現状１のパラメータ制御処理の流れ）
次に、図１２のフローチャートを参照して、図１１のパラメータ制御部３１７Ａにより実行される、現状１のパラメータ制御処理の流れを説明する。
【０１０８】
ステップＳ３２１において、シグナリングデコード部３６１は、誤り訂正復号化部３１６（図７）からの誤り訂正後のデータ（受信L1系列）を入力する。
【０１０９】
ステップＳ３２２において、シグナリングデコード部３６１は、ステップＳ３２１の処理で入力された誤り訂正後のデータ（受信L1系列）に対し、所定の復号方式に従い、デコードを行うことで、L1シグナリングの各種制御パラメータを解読する。この各種制御パラメータとしては、例えば、FFTサンプル数、GIサンプル数、及び余剰サンプル数が解読される。
【０１１０】
ステップＳ３２３において、終端余剰サンプル計算部３６２は、ステップＳ３２２の処理で解読された各種制御パラメータに基づいて、上述した式（１）及び式（２）の演算を行うことで、終端余剰サンプル数を算出する。
【０１１１】
ステップＳ３２４において、シグナリングデコード部３６１及び終端余剰サンプル計算部３６２は、ステップＳ３２２の処理で解読された各種制御パラメータと、ステップＳ３２３の処理で算出された終端余剰サンプル数を、受信装置３０（図７）の各部（例えばOFDM受信部３１３等）に出力する。ステップＳ３２４の処理が終了すると、図１２の現状１のパラメータ制御処理は終了される。
【０１１２】
以上、現状１のパラメータ制御処理の流れを説明した。
【０１１３】
以上のように、現状１の手法を採用した場合、受信装置３０においては、１フレーム目の物理層フレームに対してのみブートストラップの検波を行えばいいものの、物理層フレームの先頭位置を検出するためには、終端余剰サンプル数を求めるための演算（例えば、上述した式（１）及び式（２）の演算）を行う必要がある。そのため、終端余剰サンプル数を算出するための演算回路を設けて、各種制御パラメータを用いた複雑な演算処理を行う必要があり、受信装置３０の処理の負担が大きくなっていた。
【０１１４】
（現状２の受信側の復調処理の流れ）
次に、図１３のフローチャートを参照して、図７の受信装置３０により実行される、現状２の受信側の復調処理の流れを説明する。
【０１１５】
ステップＳ３４１乃至Ｓ３４６においては、図８のステップＳ３０１乃至Ｓ３０６と同様に、ブートストラップの検波が行われることで、ブートストラップが復調され、当該ブートストラップのシグナリングを解読して得られる制御パラメータを用いたパラメータ制御が行われる。また、プリアンブルシンボルが復調され、当該プリアンブルのL1シグナリングを解読して得られる各種制御パラメータを用いたパラメータ制御が行われ、サブフレームの復調が行われる。
【０１１６】
ここで、ステップＳ３４５においては、各種制御パラメータを用いたパラメータ制御が行われるが、終端余剰サンプル数を算出する処理が不要である点が、図８のステップＳ３０５の処理と異なっている。また、ステップＳ３４７の判定処理で、処理を終了しないと判定された場合には（Ｓ３４７の「No」）、ステップＳ３４１乃至Ｓ３４６の処理が繰り返されるが、１フレーム目の物理層フレームのみならず、２フレーム目以降の物理層フレームを処理する場合でも、ブートストラップの検波（Ｓ３４１）が行われる点も異なっている。
【０１１７】
すなわち、現状２の手法では、１フレーム目の物理層フレームのみならず、２フレーム目以降の物理層フレームを処理する場合にも、ブートストラップの検波が行われ（Ｓ３４１）、検波されたブートストラップに対する等化処理を行うことで、ブートストラップは復調される（Ｓ３４２）。この場合には、物理層フレームごとに、その先頭に配置されるブートストラップの検波が行われることになるため、物理層フレームの終端位置を認識する必要がなく、したがって、各種制御パラメータとして、終端余剰サンプル数の算出は不要である（Ｓ３４５）。
【０１１８】
以上、現状２の受信側の復調処理の流れを説明した。
【０１１９】
（現状２のOFDM受信部の構成）
図１４は、図７のOFDM受信部３１３（３１３Ｂ）の構成を示す図である。
【０１２０】
図１４において、OFDM受信部３１３Ｂ−１は、ブートストラップ相関計算部３３１、シンボル同期部３３２、セレクタ３３３、FFT部３３４、周波数域処理部３３５、及びフレーム同期部３３６から構成される。なお、図１４のOFDM受信部３１３Ｂ−１において、図９のOFDM受信部３１３Ａ−１（又は図１０のOFDM受信部３１３Ａ−２）と同一の部分には同一の符号が付してあり、説明が繰り返しになる箇所については適宜その説明を省略する。
【０１２１】
すなわち、図１４のOFDM受信部３１３Ｂ−１では、図９のOFDM受信部３１３Ａ−１と比べて、シンボル同期部３３２に入力される各種制御パラメータから、終端余剰サンプル数が除かれている点が異なっている。その理由であるが、現状２の手法では、物理層フレームの終端位置を認識する必要がなく、パラメータ制御部３１７（図７）においても、終端余剰サンプル数の算出が行われていないためである。図１４のシンボル同期部３３２は、FFTサンプル数、GIサンプル数、及び余剰サンプル数に基づいて、FFTトリガを生成し、セレクタ３３３に供給する。
【０１２２】
また、図１４のOFDM受信部３１３Ｂ−１では、図９のOFDM受信部３１３Ａ−１と比べて、フレーム同期部３３６が新たに設けられている点が異なっている。このフレーム同期部３３６には、パラメータ制御部３１７（図７）からの各種制御パラメータとして、サブフレーム数と、各サブフレーム内のシンボル数が供給される。また、フレーム同期部３３６には、セレクタ３３３からのFFTトリガが供給される。
【０１２３】
フレーム同期部３３６は、サブフレーム数及び各サブフレーム内のシンボル数、並びにFFTトリガに基づいて、トリガ切り替え信号を生成し、セレクタ３３３に供給する。そして、セレクタ３３３は、フレーム同期部３３６から供給されるトリガ切り替え信号に基づいて、ブートストラップ相関計算部３３１又はシンボル同期部３３２からのFFTトリガを選択し、FFT部３３４に供給することになる。
【０１２４】
すなわち、フレーム同期部３３６は、セレクタ３３３から出力されるFFTトリガの数をカウントすることで、物理層フレームの先頭位置が検出されたときには、セレクタ３３３によって、ブートストラップ相関計算部３３１からのFFTトリガが選択されるように、トリガ切り替え信号を出力する。また、フレーム同期部３３６は、FFTトリガの数をカウントすることで、ブートストラップのシンボル分だけ、FFTトリガが発行されたとき、セレクタ３３３によって、シンボル同期部３３２からのFFTトリガが選択されるように、トリガ切り替え信号を出力する。
【０１２５】
ここでは、例えば、FFTトリガの発行数が、規定の値（サブフレーム数×各サブフレーム内のシンボル数）になったときに、0にリセットされるカウンタを用いることで、物理層フレームの先頭位置を検出することができる。なお、各種制御パラメータとしてのサブフレーム数は、L1基本情報（L1-Basic）のL1B_num_subframes（図２）に相当している。また、各サブフレーム内のシンボル数は、L1基本情報（L1-Basic）のL1B_First_Sub_num_ofdm_symbols（図２）又はL1詳細情報（L1-Detail）のL1D_num_ofdm_symbols（図３）に相当している。
【０１２６】
なお、受信装置３０において、現状２の手法を採用した場合には、１フレーム目を処理するOFDM受信部３１３Ｂ−１と、２フレーム目以降を処理するOFDM受信部３１３Ｂ−２では、共にブートストラップの検波が行われ、同一の動作となるので、その構成を、図１４にまとめて記述している。
【０１２７】
（現状２のパラメータ制御部の構成）
図１５は、図７のパラメータ制御部３１７（３１７Ｂ）の構成を示す図である。
【０１２８】
図１５において、パラメータ制御部３１７Ｂは、シグナリングデコード部３６１を含んで構成される。なお、図１５のパラメータ制御部３１７Ｂにおいて、図１１のパラメータ制御部３１７Ａと同一の部分には同一の符号が付してあり、説明が繰り返しになる箇所については適宜その説明を省略する。
【０１２９】
すなわち、図１５のパラメータ制御部３１７Ｂでは、図１１のパラメータ制御部３１７Ａと比べて、終端余剰サンプル計算部３６２が取り除かれている点が異なっている。したがって、パラメータ制御部３１７Ｂから出力される各種制御パラメータには、終端余剰サンプル数が含まれておらず、上述したOFDM受信部３１３Ｂ−１（図１４）に、終端余剰サンプル数が入力されることもない。
【０１３０】
以上のように、現状２の手法を採用した場合、受信装置３０においては、終端余剰サンプル数を求めるための演算を行う必要がないものの、１フレーム目の物理層フレームのみならず、２フレーム目以降の物理層フレームに対してもブートストラップの検波を行う必要がある。
【０１３１】
そのため、ブートストラップを検波するための相関器（図１４のブートストラップ相関計算部３３１）を、全ての物理層フレームに対して動作させる必要があり、電力的に無駄が生じるなど、受信装置３０の処理の負担が大きくなっていた。また、物理層フレームごとにブートストラップの検波を行う場合には、物理層フレームの終端位置からブートストラップのトリガ位置を求める場合と比べて、タイミング的に正確ではなく、サンプルレベルで正確ではないという問題もある。
【０１３２】
このように、現状の規格では、終端余剰サンプル数を算出するために複雑な演算を行ったり、ブートストラップを検波するための相関器を全ての物理層フレームに対して動作させたりする必要があったため、受信装置３０の処理の負担が大きくなっていた。
【０１３３】
なお、受信装置３０に、物理層フレーム内のサンプルのカウンタ（例えば35ビットのカウンタ）を設けることで対処することも考えられるが、このようなカウンタを設ける場合には、次のような問題が生じる可能性がある。すなわち、例えば、周波数と時間のオフセット補正をかけないと大幅にずれが生じるときがあることや、当該オフセット補正用の回路の制御が複雑になること、さらには、受信信号を受信できていない区間での補正が困難であるため、大幅なずれを引き起こすことがあるなどの問題が生じる可能性がある。
【０１３４】
そこで、本技術では、このような現状１の手法や現状２の手法などの状況を鑑みて、終端余剰サンプル数を、L1シグナリングに含めて伝送して、次の物理層フレームの先頭位置を容易に検出できるようにすることで、受信装置の処理の負担を軽減することができるようにする。以下、このような本技術を適用した伝送システムについて説明する。
【０１３５】
＜２．本技術の実施の形態＞
【０１３６】
（１）システムの構成
【０１３７】
（伝送システムの構成例）
図１６は、本技術を適用した伝送システムの一実施の形態の構成を示す図である。なお、システムとは、複数の装置が論理的に集合したものをいう。
【０１３８】
図１６において、伝送システム１は、送信装置１０と受信装置２０から構成される。この伝送システム１では、ATSC3.0等のデジタル放送の規格に準拠したデータ伝送が行われる。
【０１３９】
なお、次世代地上放送規格の１つであるATSC3.0では、データ伝送に、主として、TS(Transport Stream)パケットではなく、IP/UDPパケット、すなわち、UDP(User Datagram Protocol)パケットを含むIP(Internet Protocol)パケットを用いる方式が採用されることが想定されている。また、ATSC3.0以外の放送方式でも、将来的に、IPパケットを用いた方式が採用されることが期待されている。
【０１４０】
送信装置１０は、伝送路４０を介してコンテンツを送信する。例えば、送信装置１０は、放送番組等のコンテンツを構成するビデオやオーディオ等（のコンポーネント）とシグナリングを含む放送ストリームを、デジタル放送信号として、伝送路４０を介して送信する。
【０１４１】
受信装置２０は、送信装置１０から伝送路４０を介して送信されてくる、コンテンツを受信して出力する。例えば、受信装置２０は、送信装置１０からのデジタル放送信号を受信して、放送ストリームから、コンテンツを構成するビデオやオーディオ等（のコンポーネント）とシグナリングを取得し、放送番組等のコンテンツの映像や音声を再生する。
【０１４２】
なお、図１６の伝送システム１においては、説明を簡単にするために、受信装置２０を１つだけ図示しているが、受信装置２０は複数設けることができ、送信装置１０が送信（一斉同報配信）するデジタル放送信号は、伝送路４０を介して複数の受信装置２０で同時に受信することができる。
【０１４３】
また、図１６の伝送システム１においては、送信装置１０も複数設けることができる。複数の送信装置１０のそれぞれでは、別個のチャネルとしての、例えば、別個の周波数帯域で、放送ストリームを含むデジタル放送信号を送信し、受信装置２０では、複数の送信装置１０のそれぞれのチャンネルの中から、放送ストリームを受信するチャネルを選択することができる。
【０１４４】
さらに、図１６の伝送システム１において、伝送路４０は、地上波（地上波放送）のほか、例えば、放送衛星（BS：Broadcasting Satellite）や通信衛星（CS：Communications Satellite）を利用した衛星放送、あるいは、ケーブルを用いた有線放送（CATV）などであってもよい。
【０１４５】
（送信装置の構成例）
図１７は、図１６の送信装置１０の構成例を示す図である。
【０１４６】
図１７において、送信装置１０は、エンコーダ部１１１、パラメータ制御部１１２、誤り訂正符号化部１１３、時間インターリーブ部１１４、周波数インターリーブ部１１５、OFDM送信部１１６、直交変調部１１７、及びRF・アナログ部１１８から構成される。
【０１４７】
エンコーダ部１１１は、前段の回路（不図示）から入力される（サブフレームの）データをエンコードし、誤り訂正符号化部１１３に供給する。
【０１４８】
パラメータ制御部１１２は、各種制御パラメータを含むL1シグナリング（プリアンブル）のデータを生成し、誤り訂正符号化部１１３に供給する。例えば、L1シグナリングとしては、L1基本情報（L1-Basic）やL1詳細情報（L1-Detail）などが生成される。また、このL1シグナリングには、制御パラメータとして、終端余剰サンプル数（後述するL1B_final_excess_samples（図２１））が含まれている。
【０１４９】
誤り訂正符号化部１１３は、エンコーダ部１１１とパラメータ制御部１１２から供給されるデータに対し、誤り符号化処理（例えば、BCH符号化やLDPC(Low Density Parity Check)符号化等）を行う。誤り訂正符号化部１１３は、誤り訂正符号化後のデータを、時間インターリーブ部１１４に供給する。
【０１５０】
時間インターリーブ部１１４は、誤り訂正符号化部１１３から供給されるデータに対し、時間方向のインターリーブを行い、その時間方向のインターリーブ後のデータを、周波数インターリーブ部１１５に供給する。
【０１５１】
周波数インターリーブ部１１５は、時間インターリーブ部１１４から供給されるデータに対し、周波数方向のインターリーブを行い、その周波数方向のインターリーブ後のデータを、OFDM送信部１１６に供給する。
【０１５２】
OFDM送信部１１６は、周波数インターリーブ部１１５から供給されるデータに対して、IFFT(Inverse Fast Fourier Transform)演算を行い、それにより得られるOFDM(Orthogonal Frequency Division Multiplexing)信号を、直交変調部１１７に供給する。なお、OFDM信号にはブートストラップのシグナリングが含められる。
【０１５３】
直交変調部１１７は、OFDM送信部１１６から供給されるベースバンドのOFDM信号を直交変調し、それにより得られる信号を、RF・アナログ部１１８に供給する。なお、直交変調部１１７で処理された信号には、D/A(Digital/Analog)変換処理が施され、デジタル信号からアナログ信号に変換されてから、RF・アナログ部１１８に入力される。
【０１５４】
RF・アナログ部１１８は、アンテナ１０１と接続され、直交変調部１１７から供給される信号を、RF(Radio Frequency)信号として、伝送路４０を介して受信装置２０に送信する。
【０１５５】
（本技術の送信側の変調処理の流れ）
次に、図１８のフローチャートを参照して、図１６の送信装置１０により実行される、本技術の送信側の変調処理の流れを説明する。なお、図１８の説明では、パラメータ制御部１１２とOFDM送信部１１６により実行される処理を中心に説明する。
【０１５６】
ステップＳ１０１において、OFDM送信部１１６は、サブフレーム（サブフレームシンボル）を変調する。
【０１５７】
なお、ここでは詳細な説明は省略するが、エンコーダ部１１１によりエンコードされたデータに対し、誤り訂正符号化部１１３によって、誤り訂正符号化処理が行われた後に、時間インターリーブ部１１４と周波数インターリーブ部１１５によって、時間方向と周波数方向のインターリーブが行われることで得られるデータが、サブフレームとして、OFDM送信部１１６によって変調される。
【０１５８】
ステップＳ１０２において、パラメータ制御部１１２は、各種制御パラメータを含むL1シグナリング（プリアンブル）のデータを生成する。例えば、L1シグナリングとしては、L1基本情報（L1-Basic）やL1詳細情報（L1-Detail）などが生成される。また、このL1シグナリングには、制御パラメータとして、終端余剰サンプル数（後述するL1B_final_excess_samples（図２１））が含まれている。
【０１５９】
なお、ここでは詳細な説明は省略するが、ステップＳ１０２の処理で生成されたL1シグナリングのデータに対しては、誤り訂正符号化部１１３によって、誤り訂正符号化処理が行われた後に、時間インターリーブ部１１４と周波数インターリーブ部１１５によって、時間方向と周波数方向のインターリーブが行われる。
【０１６０】
ステップＳ１０３において、OFDM送信部１１６は、ステップＳ１０２の処理で生成されたL1シグナリングのプリアンブルシンボルを変調する。
【０１６１】
ステップＳ１０４において、OFDM送信部１１６は、制御パラメータを含む、ブートストラップのシグナリングを生成する。
【０１６２】
ステップＳ１０５において、OFDM送信部１１６は、ステップＳ１０４の処理で生成されたブートストラップのシグナリングを変調する。
【０１６３】
ステップＳ１０６においては、処理を終了するかどうかが判定される。ステップＳ１０６において、処理を終了しないと判定された場合、処理は、ステップＳ１０１に戻される。そして、次の物理層フレームを処理対象として、上述したステップＳ１０１乃至Ｓ１０５の処理が繰り返される。
【０１６４】
一方、ステップＳ１０６において、処理を終了すると判定された場合、図１８の本技術の送信側の変調処理は終了される。
【０１６５】
以上、本技術の送信側の変調処理の流れを説明した。この本技術の送信側の変調処理では、各種制御パラメータとして、FFTサンプル数、GIサンプル数、及び余剰サンプル数のみならず、終端余剰サンプル数も生成され、L1シグナリング（プリアンブル）に含めて伝送される。
【０１６６】
（受信装置の構成例）
図１９は、図１６の受信装置２０の構成例を示す図である。
【０１６７】
図１９において、受信装置２０は、RF・アナログ部２１１、直交復調部２１２、OFDM受信部２１３、周波数デインターリーブ部２１４、時間デインターリーブ部２１５、誤り訂正復号化部２１６、パラメータ制御部２１７、及びデコーダ部２１８から構成される。
【０１６８】
RF・アナログ部２１１は、アンテナ２０１と接続され、送信装置１０から伝送路４０を介して送信されてくるRF信号を受信する。RF・アナログ部２１１は、RF信号を処理し、直交復調部２１２に供給する。なお、RF・アナログ部２１１で処理された信号には、A/D変換処理が施され、アナログ信号からデジタル信号に変換されてから、直交復調部２１２に入力される。
【０１６９】
直交復調部２１２は、RF・アナログ部２１１から供給される信号を直交復調し、その結果得られるベースバンドのOFDM信号を、OFDM受信部２１３に供給する。
【０１７０】
OFDM受信部２１３は、直交復調部２１２から供給されるOFDM信号に対して、FFT演算を行い、各サブキャリアに直交変調されているデータを抽出し、周波数デインターリーブ部２１４に供給する。なお、OFDM受信部２１３の詳細な構成は、図２２及び図２３を参照して後述する。
【０１７１】
周波数デインターリーブ部２１４は、OFDM受信部２１３から供給されるデータに対し、周波数方向のデインターリーブを行い、その周波数方向のデインターリーブ後のデータを、時間デインターリーブ部２１５に供給する。
【０１７２】
時間デインターリーブ部２１５は、周波数デインターリーブ部２１４から供給されるデータに対し、時間方向のデインターリーブを行い、その時間方向のデインターリーブ後のデータを、誤り訂正復号化部２１６に供給する。
【０１７３】
誤り訂正復号化部２１６は、時間デインターリーブ部２１５から供給されるデータに対し、誤り訂正処理（例えばLDPC復号やBCH復号等）を行う。誤り訂正復号化部２１６は、誤り訂正後のデータのうち、プリアンブルのデータを、パラメータ制御部２１７に供給するとともに、サブフレームのデータを、デコーダ部２１８に供給する。
【０１７４】
パラメータ制御部２１７は、誤り訂正復号化部２１６から供給されるデータを処理し、L1シグナリングに含まれる各種制御パラメータを、受信装置２０の各部に供給する。なお、パラメータ制御部２１７の詳細な構成は、図２４を参照して後述する。
【０１７５】
例えば、パラメータ制御部２１７は、L1シグナリングに含まれるFFTサンプル数、GIサンプル数、余剰サンプル数、及び終端余剰サンプル数（後述するL1B_final_excess_samples（図２１））を、OFDM受信部２１３に供給する。これにより、OFDM受信部２１３では、パラメータ制御部２１７からのFFTサンプル数、GIサンプル数、余剰サンプル数、及び終端余剰サンプル数を用いてFFTトリガが生成され、OFDM信号に対するFFT演算で用いられる。
【０１７６】
デコーダ部２１８は、誤り訂正復号化部２１６から供給される（サブフレームの）データをデコードし、後段の回路（不図示）に出力する。
【０１７７】
（本技術の受信側の復調処理の流れ）
次に、図２０のフローチャートを参照して、図１６の受信装置２０により実行される、本技術の受信側の復調処理の流れを説明する。ただし、図２０の説明では、OFDM受信部２１３とパラメータ制御部２１７により実行される処理を中心に説明する。
【０１７８】
ステップＳ２０１において、OFDM受信部２１３は、物理層フレームのブートストラップ（先頭のプリアンブルの部分）を検波する。ここで、OFDM受信部２１３は、ブートストラップの検波を行う場合には、ベースバンドのOFDM信号に対する時間域の相関計算を行い、自己相関が最大となったところを、ブートストラップのトリガ位置として検出（検波）する。
【０１７９】
ステップＳ２０２において、OFDM受信部２１３は、ステップＳ２０１の処理で検波されたブートストラップに対する等化処理を行い、ブートストラップを復調する。
【０１８０】
ステップＳ２０３において、OFDM受信部２１３は、ステップＳ２０２の処理で復調されたブートストラップのシグナリングを解読（デコード）し、それにより得られる制御パラメータを用いたパラメータ制御を行う。
【０１８１】
ステップＳ２０４において、OFDM受信部２１３は、ステップＳ２０３の処理のパラメータ制御に従い、プリアンブルシンボルの等化処理を行い、プリアンブルシンボルを復調する。
【０１８２】
なお、ここでは詳細な説明は省略するが、ステップＳ２０４の処理で復調されたプリアンブルシンボルに対しては、周波数デインターリーブ部２１４と時間デインターリーブ部２１５によって、周波数方向と時間方向のデインターリーブが行われた後に、誤り訂正復号化部２１６によって、誤り訂正復号化処理が行われる。
【０１８３】
ステップＳ２０５において、パラメータ制御部２１７は、ステップＳ２０４の処理等で得られるプリアンブルに含まれるL1シグナリングを解読（デコード）し、それにより得られる各種制御パラメータを用いたパラメータ制御を行う。
【０１８４】
例えば、パラメータ制御部２１７は、L1シグナリングに含まれるFFTサンプル数、GIサンプル数、余剰サンプル数、及び終端余剰サンプル数（後述するL1B_final_excess_samples（図２１））を、OFDM受信部２１３に供給する。これにより、OFDM受信部２１３では、パラメータ制御部２１７からのFFTサンプル数、GIサンプル数、余剰サンプル数、及び終端余剰サンプル数を用いてFFTトリガが生成され、OFDM信号に対するFFT演算で用いられる。
【０１８５】
ステップＳ２０６において、OFDM受信部２１３は、ステップＳ２０５の処理のパラメータ制御に従い、サブフレーム（サブフレームシンボル）の等化処理を行い、サブフレームを復調する。
【０１８６】
なお、ここでは詳細な説明は省略するが、ステップＳ２０６の処理で復調されたサブフレームに対しては、周波数デインターリーブ部２１４と時間デインターリーブ部２１５によって、周波数方向と時間方向のデインターリーブが行われた後に、誤り訂正復号化部２１６によって、誤り訂正復号化処理が行われる。そして、デコーダ部２１８では、ステップＳ２０６の処理等で得られる（サブフレームの）データがデコードされ、出力される。
【０１８７】
ステップＳ２０７においては、処理を終了するかどうかが判定される。ステップＳ２０７において、処理を終了しないと判定された場合、処理は、ステップＳ２０２に戻される。そして、次の物理層フレームを処理対象として、上述したステップＳ２０２乃至Ｓ２０６の処理が繰り返される。
【０１８８】
すなわち、本技術の手法では、１フレーム目の物理層フレームを処理する場合には、ステップＳ２０１の処理でブートストラップの検波が行われたが、２フレーム目以降の物理層フレームを処理する場合には、ブートストラップの検波は行われない。ここでは、ブートストラップの検波は行わずに、ステップＳ２０５の処理でL1シグナリングを解読することで得られる各種制御パラメータを用い、１つ前の物理層フレームの終端位置からトリガ位置を求めることで、ブートストラップが復調される。
【０１８９】
一方、ステップＳ２０７において、処理を終了すると判定された場合、図２０の本技術の受信側の復調処理は終了される。
【０１９０】
以上、本技術の受信側の復調処理の流れについて説明した。この本技術の受信側の復調処理では、L1シグナリング（プリアンブル）に含めて伝送される各種制御パラメータとして、FFTサンプル数、GIサンプル数、及び余剰サンプル数のみならず、終端余剰サンプル数を取得して処理し、次の物理層フレームの先頭位置を容易に検出できるので、受信装置の処理の負担を軽減することができる
【０１９１】
（２）シグナリングの例
【０１９２】
（L1基本情報の構造）
図２１は、本技術のL1基本情報（L1-Basic）のシンタックスの例を示す図である。
【０１９３】
図２１には、L1基本情報の一部を抜き出して記述しているが、図２のL1基本情報と比べて、13ビットのL1B_final_excess_samplesのフィールドが追加されている点が異なっている（図中の太字）。このL1B_final_excess_samplesは、物理層フレームの終端に挿入されるサンプルの数を示す終端余剰サンプル数を表している。
【０１９４】
なお、ここでは、L1B_final_excess_samplesのビット数を、13ビットとしているが、運用に応じて他のビット数を設定してもよい。
【０１９５】
（３）復調処理とパラメータ制御の詳細
【０１９６】
次に、OFDM受信部２１３による復調処理と、パラメータ制御部２１７によるパラメータ制御の詳細について説明する。
【０１９７】
（本技術のOFDM受信部の構成）
図２２及び図２３は、図１９のOFDM受信部２１３の構成例を示す図である。
【０１９８】
ここでは、図２２には、１フレーム目の物理層フレームを処理するOFDM受信部２１３−１が図示され、図２３には、２フレーム目以降の物理層フレームを処理するOFDM受信部２１３−２が図示されている。
【０１９９】
図２２において、OFDM受信部２１３−１は、ブートストラップ相関計算部２３１、シンボル同期部２３２、セレクタ２３３、FFT部２３４、及び周波数域処理部２３５から構成される。
【０２００】
直交復調部２１２（図１９）から入力されるベースバンド信号（OFDM時間領域信号）は、ブートストラップ相関計算部２３１と、FFT部２３４に入力される。
【０２０１】
ブートストラップ相関計算部２３１は、信号遅延部２４１によりOFDM時間領域信号を有効シンボル期間分遅延させて、ブートストラップ部分と、このブートストラップ部分の元となる信号との相関を求める。そして、この相関に応じたFFTトリガ（FFT trigger）が、ブートストラップ相関計算部２３１からセレクタ２３３に供給される。
【０２０２】
シンボル同期部２３２には、パラメータ制御部２１７（図１９）からの各種制御パラメータとして、FFTサンプル数、GIサンプル数、余剰サンプル数、及び終端余剰サンプル数が入力される。シンボル同期部２３２は、FFTサンプル数、GIサンプル数、余剰サンプル数、及び終端余剰サンプル数に基づいて、FFTトリガを生成し、セレクタ２３３に供給する。
【０２０３】
ただし、本技術の手法では、この各種制御パラメータの全てが、パラメータ制御部２１７によりL1シグナリングが解読されることで得られたものであり、その点が、上述した現状１の手法と異なっている。すなわち、終端余剰サンプル数は、現状１の手法では、各種制御パラメータから演算により求めていたが、本技術の手法では、L1シグナリングの各種制御パラメータを解読することで得られる。なお、終端余剰サンプル数の取得方法の詳細については、図２４及び図２５を参照して後述する。
【０２０４】
セレクタ２３３には、ブートストラップ相関計算部２３１からのFFTトリガと、シンボル同期部２３２からのFFTトリガが入力される。セレクタ２３３は、後段の周波数域処理部２３５（のブートストラップ処理部２５１）から供給されるトリガ切り替え信号に基づいて、ブートストラップ相関計算部２３１からのFFTトリガ又はシンボル同期部２３２からのFFTトリガを選択し、FFT部２３４に供給する。
【０２０５】
FFT部２３４は、セレクタ２３３から供給されるFFTトリガに基づいて、ベースバンド信号としてのOFDM時間領域信号に対してFFT演算を行い、各サブキャリアに直行変調されているデータを抽出し、周波数域処理部２３５に供給する。
【０２０６】
周波数域処理部２３５は、FFT部２３４から供給されるOFDM周波数領域信号に対し、所定の周波数域処理（例えば等化処理など）を行い、それにより得られるデータを、後段の周波数デインターリーブ部２１４（図１９）に供給する。また、周波数域処理部２３５は、ブートストラップ処理部２５１を含む。
【０２０７】
ブートストラップ処理部２５１は、１フレーム目の物理層フレームのブートストラップに対する処理を監視し、当該ブートストラップの処理が完了した場合に、トリガ切り替え信号を、セレクタ２３３に供給する。すなわち、このトリガ切り替え信号は、１フレーム目の物理層フレームのブートストラップの処理が完了したことを示すフラグであると言える。
【０２０８】
これにより、セレクタ２３３は、ブートストラップ処理部２５１からのトリガ切り替え信号に従い、１フレーム目の物理層フレームのブートストラップを処理する場合には、ブートストラップ相関計算部２３１からのFFTトリガを選択してFFT部２３４に出力する。一方で、セレクタ２３３は、ブートストラップ処理部２５１からのトリガ切り替え信号に従い、１フレーム目の物理層フレームのブートストラップの処理が完了した場合には、シンボル同期部２３２からのFFTトリガを選択してFFT部２３４に出力する。
【０２０９】
すなわち、１フレーム目の物理層フレームを処理するOFDM受信部２１３−１（図２２）では、ブートストラップ相関計算部２３１が有効となり、１フレーム目の物理層フレームのブートストラップの処理が完了するまではそのFFTトリガが用いられ、ブートストラップの処理が完了した後に、シンボル同期部２３２からのFFTトリガが用いられる。一方で、２フレーム目以降の物理層フレームを処理するOFDM受信部２１３−２（図２３）では、ブートストラップ相関計算部２３１が無効となり（図中の濃淡により表現）、常に、シンボル同期部２３２からのFFTトリガが用いられる。
【０２１０】
（本技術のパラメータ制御部の構成）
図２４は、図１９のパラメータ制御部２１７の構成例を示す図である。
【０２１１】
図２４において、パラメータ制御部２１７は、シグナリングデコード部２６１を含んで構成される。
【０２１２】
シグナリングデコード部２６１は、誤り訂正復号化部２１６（図１９）から供給される誤り訂正後のデータ（受信L1系列）に対し、所定の復号方式に従い、デコードを行うことで、L1シグナリングの各種制御パラメータの解読を行う。L1シグナリングの各種制御パラメータは、受信装置２０（図１９）の各部（例えば、OFDM受信部２１３等）に供給される。
【０２１３】
ただし、本技術の手法では、L1シグナリングの各種制御パラメータを解読することで、終端余剰サンプル数が得られる点で、上述した現状１の手法と異なっている。すなわち、終端余剰サンプル数は、現状１の手法では、終端余剰サンプル計算部３６２（図１１）が演算により求めていたが、本技術の手法では、L1シグナリングの各種制御パラメータを解読することで得られる。したがって、図２４のパラメータ制御部２１７には、終端余剰サンプル数の計算をするための計算部は不要である。
【０２１４】
このように、シグナリングデコード部２６１により解読された終端余剰サンプル数は、FFTサンプル数、GIサンプル数、及び余剰サンプル数とともに、OFDM受信部２１３−１（図２２）又はOFDM受信部２１３−２（図２３）のシンボル同期部２３２に供給される。
【０２１５】
（本技術のパラメータ制御処理の流れ）
次に、図２５のフローチャートを参照して、図２４のパラメータ制御部２１７により実行される、本技術のパラメータ制御処理の流れについて説明する。
【０２１６】
ステップＳ２２１において、シグナリングデコード部２６１は、誤り訂正復号化部２１６（図１９）からの誤り訂正後のデータ（受信L1系列）を入力する。
【０２１７】
ステップＳ２２２において、シグナリングデコード部２６１は、ステップＳ２２１の処理で入力された誤り訂正後のデータ（受信L1系列）に対し、所定の復号方式に従い、デコードを行うことで、L1シグナリングの各種制御パラメータを解読する。この各種制御パラメータとしては、例えば、FFTサンプル数、GIサンプル数、及び余剰サンプル数のほかに、終端余剰サンプル数が解読される。
【０２１８】
ステップＳ２２３において、シグナリングデコード部２６１は、ステップＳ２２２の処理で解読された各種制御パラメータを、受信装置２０（図１９）の各部に出力する。例えば、シグナリングデコード部２６１は、FFTサンプル数、GIサンプル数、余剰サンプル数、及び終端余剰サンプル数を、OFDM受信部２１３（図１９）に出力する。ステップＳ２２３の処理が終了すると、図２５の本技術のパラメータ制御処理は終了される。
【０２１９】
以上、本技術のパラメータ制御処理の流れについて説明した。この本技術のパラメータ制御処理では、L1シグナリング（プリアンブル）に含めて伝送される各種制御パラメータとして、FFTサンプル数、GIサンプル数、及び余剰サンプル数のみならず、終端余剰サンプル数が取得されるため、終端余剰サンプル数を算出するために複雑な演算を行う必要がない。
【０２２０】
このように本技術の手法を採用することで、受信装置２０では、例えば、終端余剰サンプル数を算出するために複雑な演算を行ったり、ブートストラップを検波するための相関器（図２２又は図２３のブートストラップ相関計算部２３１）を、全ての物理層フレームに対して動作させたりする必要がないため、受信装置２０の処理の負担を軽減することができる。
【０２２１】
＜３．変形例＞
【０２２２】
上述した説明としては、デジタル放送の規格として、米国等で採用されている方式であるATSC（特に、ATSC3.0）を説明したが、本技術は、日本等が採用する方式であるISDB(Integrated Services Digital Broadcasting)や、欧州の各国等が採用する方式であるDVB(Digital Video Broadcasting)などに適用するようにしてもよい。また、上述した説明では、IP伝送方式が採用されるATSC3.0を例にして説明したが、IP伝送方式に限らず、例えば、MPEG2-TS(Transport Stream)方式等の他の方式に適用するようにしてもよい。
【０２２３】
また、デジタル放送としては、地上波放送のほか、放送衛星（BS)や通信衛星（CS）等を利用した衛星放送や、ケーブルテレビ（CATV）等の有線放送などに適用することができる。さらに、上述したシグナリング（のフィールド）等の名称は、一例であって、他の名称が用いられる場合がある。例えば、図２１のL1B_final_excess_samplesには、「終端余剰サンプル数」を意味するような他の名称が用いられるようにしてもよい。ただし、これらの名称の違いは、形式的な違いであって、対象のシグナリング（のフィールド）等の実質的な内容が異なるものではない。また、上述した説明では、シンボルアラインモード時に、余分なサンプルを挿入することで、物理層フレームのフレーム長を整数のミリ秒単位に合わせるとして説明したが、この時間単位は、ミリ秒単位に限らず、例えばマイクロ秒単位、ナノ秒単位、秒単位など他の時間単位を採用してもよい。
【０２２４】
また、本技術は、伝送路として、放送網以外の伝送路、すなわち、例えば、インターネットや電話網等の通信回線（通信網）などを利用することを想定して規定されている所定の規格（デジタル放送の規格以外の規格）などにも適用することができる。その場合には、伝送システム１（図１６）の伝送路４０として、インターネットや電話網などの通信回線が利用され、送信装置１０は、インターネット上に設けられたサーバとすることができる。そして、受信装置２０が通信機能を有するようにすることで、送信装置１０（サーバ）は、受信装置２０からの要求に応じて、処理を行うことになる。一方で、受信装置２０は、送信装置１０（サーバ）から伝送路４０（通信回線）を介して送信されてくるデータを処理することになる。
【０２２５】
＜４．コンピュータの構成＞
【０２２６】
上述した一連の処理は、ハードウェアにより実行することもできるし、ソフトウェアにより実行することもできる。一連の処理をソフトウェアにより実行する場合には、そのソフトウェアを構成するプログラムが、コンピュータにインストールされる。図２６は、上述した一連の処理をプログラムにより実行するコンピュータのハードウェアの構成例を示す図である。
【０２２７】
コンピュータ１０００において、CPU(Central Processing Unit)１００１、ROM(Read Only Memory)１００２、RAM(Random Access Memory)１００３は、バス１００４により相互に接続されている。バス１００４には、さらに、入出力インターフェース１００５が接続されている。入出力インターフェース１００５には、入力部１００６、出力部１００７、記録部１００８、通信部１００９、及び、ドライブ１０１０が接続されている。
【０２２８】
入力部１００６は、キーボード、マウス、マイクロフォンなどよりなる。出力部１００７は、ディスプレイ、スピーカなどよりなる。記録部１００８は、ハードディスクや不揮発性のメモリなどよりなる。通信部１００９は、ネットワークインターフェースなどよりなる。ドライブ１０１０は、磁気ディスク、光ディスク、光磁気ディスク、又は半導体メモリなどのリムーバブルメディア１０１１を駆動する。
【０２２９】
以上のように構成されるコンピュータ１０００では、CPU１００１が、ROM１００２や記録部１００８に記録されているプログラムを、入出力インターフェース１００５及びバス１００４を介して、RAM１００３にロードして実行することにより、上述した一連の処理が行われる。
【０２３０】
コンピュータ１０００（CPU１００１）が実行するプログラムは、例えば、パッケージメディア等としてのリムーバブルメディア１０１１に記録して提供することができる。また、プログラムは、ローカルエリアネットワーク、インターネット、デジタル衛星放送といった、有線又は無線の伝送媒体を介して提供することができる。
【０２３１】
コンピュータ１０００では、プログラムは、リムーバブルメディア１０１１をドライブ１０１０に装着することにより、入出力インターフェース１００５を介して、記録部１００８にインストールすることができる。また、プログラムは、有線又は無線の伝送媒体を介して、通信部１００９で受信し、記録部１００８にインストールすることができる。その他、プログラムは、ROM１００２や記録部１００８に、あらかじめインストールしておくことができる。
【０２３２】
ここで、本明細書において、コンピュータがプログラムに従って行う処理は、必ずしもフローチャートとして記載された順序に沿って時系列に行われる必要はない。すなわち、コンピュータがプログラムに従って行う処理は、並列的あるいは個別に実行される処理（例えば、並列処理あるいはオブジェクトによる処理）も含む。また、プログラムは、１のコンピュータ（プロセッサ）により処理されるものであってもよいし、複数のコンピュータによって分散処理されるものであってもよい。
【０２３３】
なお、本技術の実施の形態は、上述した実施の形態に限定されるものではなく、本技術の要旨を逸脱しない範囲において種々の変更が可能である。
【０２３４】
また、本技術は、以下のような構成をとることができる。
【０２３５】
（１）
物理層フレームのフレーム長を所定の時間単位に調整するために余分なサンプルを挿入する場合に、当該物理層フレームの終端に挿入されるサンプルの数を示す終端余剰サンプル数を含むシグナリングを生成する生成部と、
前記シグナリングを、前記物理層フレームのプリアンブルに含まれるように処理する処理部と
を備えるデータ処理装置。
（２）
前記シグナリングは、第１の制御情報と、前記第１の制御情報の後に読み出される第２の制御情報を含み、
前記終端余剰サンプル数は、前記第１の制御情報に含まれる
（１）に記載のデータ処理装置。
（３）
前記時間単位は、ミリ秒単位である
（１）又は（２）に記載のデータ処理装置。
（４）
前記余分なサンプルは、ガードインターバル部分に挿入される
（１）乃至（３）のいずれかに記載のデータ処理装置。
（５）
前記物理層フレームは、ATSC(Advanced Television Systems Committee)3.0で規定される物理層フレームであって、
前記第１の制御情報は、ATSC3.0で規定されるL1基本情報（L1-Basic）であり、
前記第２の制御情報は、ATSC3.0で規定されるL1詳細情報（L1-Detail）である
（２）に記載のデータ処理装置。
（６）
前記物理層フレームのフレーム長を所定の時間単位に調整する第１のモードと、前記物理層フレームのフレーム長を調整しない第２のモードを設定可能であり、
前記生成部は、前記第１のモードが設定された場合に、前記終端余剰サンプル数をシグナリングに含める
（１）乃至（５）のいずれかに記載のデータ処理装置。
（７）
データ処理装置のデータ処理方法において、
前記データ処理装置が、
物理層フレームのフレーム長を所定の時間単位に調整するために余分なサンプルを挿入する場合に、当該物理層フレームの終端に挿入されるサンプルの数を示す終端余剰サンプル数を含むシグナリングを生成し、
前記シグナリングを、前記物理層フレームのプリアンブルに含まれるように処理する
ステップを含むデータ処理方法。
（８）
物理層フレームのプリアンブルに含まれるシグナリングであって、前記物理層フレームのフレーム長を所定の時間単位に調整するために余分なサンプルを挿入する場合に、当該物理層フレームの終端に挿入されるサンプルの数を示す終端余剰サンプル数を含む前記シグナリングを処理する処理部を備える
データ処理装置。
（９）
前記処理部は、伝送路を介して伝送されてくる受信信号に含まれる、物理層の系列のデータをデコードして、前記シグナリングに含まれる前記終端余剰サンプル数を解読する
（８）に記載のデータ処理装置。
（１０）
前記処理部により解読された前記終端余剰サンプル数を用い、OFDM(Orthogonal Frequency Division Multiplexing)信号に対するFFT(Fast Fourier Transform)演算を行うOFDM受信部をさらに備える
（９）に記載のデータ処理装置。
（１１）
前記OFDM受信部は、
最初に処理される第１の物理層フレームに対しては、当該物理層フレームの先頭のプリアンブルの部分を検波することで、FFTトリガ位置を決定し、
前記第１の物理層フレームよりも時間的に後に処理される第２の物理層フレームに対しては、１つ前の物理層フレームのプリアンブルに含まれる前記シグナリングの前記終端余剰サンプル数に応じた当該物理層フレームの終端位置から、FFTトリガ位置を決定する
（１０）に記載のデータ処理装置。
（１２）
前記シグナリングは、第１の制御情報と、前記第１の制御情報の後に読み出される第２の制御情報を含み、
前記終端余剰サンプル数は、前記第１の制御情報に含まれる
（８）乃至（１１）のいずれかに記載のデータ処理装置。
（１３）
前記時間単位は、ミリ秒単位である
（８）乃至（１２）のいずれかに記載のデータ処理装置。
（１４）
前記余分なサンプルは、ガードインターバル部分に挿入される
（８）乃至（１３）のいずれかに記載のデータ処理装置。
（１５）
前記物理層フレームは、ATSC3.0で規定される物理層フレームであって、
前記第１の制御情報は、ATSC3.0で規定されるL1基本情報（L1-Basic）であり、
前記第２の制御情報は、ATSC3.0で規定されるL1詳細情報（L1-Detail）である
（１２）に記載のデータ処理装置。
（１６）
前記物理層フレームのフレーム長を所定の時間単位に調整する第１のモードと、前記物理層フレームのフレーム長を調整しない第２のモードを設定可能であり、
前記処理部は、前記第１のモードが設定された場合に、前記終端余剰サンプル数を含むシグナリングを処理する
（８）乃至（１５）のいずれかに記載のデータ処理装置。
（１７）
データ処理装置のデータ処理方法において、
前記データ処理装置が、
物理層フレームのプリアンブルに含まれるシグナリングであって、前記物理層フレームのフレーム長を所定の時間単位に調整するために余分なサンプルを挿入する場合に、当該物理層フレームの終端に挿入されるサンプルの数を示す終端余剰サンプル数を含む前記シグナリングを処理する
ステップを含むデータ処理方法。
【符号の説明】
【０２３６】
１  伝送システム，  １０  送信装置，  ２０  受信装置，  ４０  伝送路，  １１１  エンコーダ部，  １１２  パラメータ制御部，  １１３  誤り訂正符号化部，  １１４  時間インターリーブ部，  １１５  周波数インターリーブ部，  １１６  OFDM送信部，  １１７  直交変調部，  １１８  RF・アナログ部，  ２１１  RF・アナログ部，  ２１２  直交復調部，  ２１３  OFDM受信部，  ２１４  周波数デインターリーブ部，  ２１５  時間デインターリーブ部，  ２１６  誤り訂正復号化部，  ２１７  パラメータ制御部，  ２１８  デコーダ部，  ２３１  ブートストラップ相関計算部，  ２３２  シンボル同期部，  ２３３  セレクタ，  ２３４  FFT部，  ２３５  周波数域処理部，  ２４１  信号遅延部，  ２５１  ブートストラップ部，  ２６１  シグナリングデコード部，  １０００  コンピュータ，  １００１  CPU
【図１】
2017135557.tif 000005
【図２】
2017135557.tif 000006
【図３】
2017135557.tif 000007
【図４】
2017135557.tif 000008
【図５】
2017135557.tif 000009
【図６】
2017135557.tif 000010
【図７】
2017135557.tif 000011
【図８】
2017135557.tif 000012
【図９】
2017135557.tif 000013
【図１０】
2017135557.tif 000014
【図１１】
2017135557.tif 000015
【図１２】
2017135557.tif 000016
【図１３】
2017135557.tif 000017
【図１４】
2017135557.tif 000018
【図１５】
2017135557.tif 000019
【図１６】
2017135557.tif 000020
【図１７】
2017135557.tif 000021
【図１８】
2017135557.tif 000022
【図１９】
2017135557.tif 000023
【図２０】
2017135557.tif 000024
【図２１】
2017135557.tif 000025
【図２２】
2017135557.tif 000026
【図２３】
2017135557.tif 000027
【図２４】
2017135557.tif 000028
【図２５】
2017135557.tif 000029
【図２６】
2017135557.tif 000030